(57)【要約】【課題】機器寿命の警告報知期間に点検停止時期が発生する場合の利便性の悪さを改善する。【解決手段】制御部１０１は、点検停止時期予測手段１０３で予測した点検停止時期が機器寿命時期予測手段１０２で予測した機器寿命到達時期の第１の所定期間前よりも後で機器寿命到達時期よりも前と最終点検時期判定手段１０５で判定すると、警告報知手段１０４により点検の警告せずに点検停止時期の第１の所定期間前から警告報知手段１０４により機器寿命の警告をする。つまり、点検停止時期が、機器寿命到達時期の第１の所定期間前よりも後で機器寿命到達時期よりも前の場合は、点検の警告をせずに機器寿命停止警告の開始時期を点検停止時期の第１の所定期間前に前倒しする。そのため、機器寿命停止の対応をしている最中に予想外の機器停止がなく、機器寿命停止直前の点検対応の無駄がない。【選択図】図１
2011171137.tif 000002
【特許請求の範囲】
【請求項１】
空気と燃料ガスの供給を受けて発電し、予め設定された機器寿命条件を満たした場合に機器寿命停止し、点検停止時期に到達するまでに所定の点検をしなければ点検停止するように構成された燃料電池発電システムであって、
前記機器寿命条件に基づいて機器寿命に達する機器寿命到達時期を予測する機器寿命時期予測手段と、
前記燃料電池発電システムを構成する部品の少なくとも一部の部品の寿命条件に基づいて前記点検停止しないように前記所定の点検を済ませておく必要がある期限となる前記点検停止時期を予測する点検停止時期予測手段と、
前記機器寿命時期予測手段で予測した前記機器寿命到達時期の短くとも第１の所定期間前から前記機器寿命到達時期が迫っていることを警告すると共に、前記点検停止時期予測手段で予測した前記点検停止時期の第２の所定期間前から前記点検停止時期までに前記所定の点検が必要であることを警告する警告報知手段と、
前記点検停止時期予測手段で予測した前記点検停止時期が前記機器寿命時期予測手段で予測した前記機器寿命到達時期の前記第１の所定期間前よりも後で且つ前記機器寿命到達時期よりも前になるか否かを判定する最終点検時期判定手段と、
前記機器寿命時期予測手段の予測結果と前記点検停止時期予測手段の予測結果と前記最終点検時期判定手段の判定結果に基づいて前記警告報知手段を動作させ、前記点検停止時期予測手段で予測した前記点検停止時期が前記機器寿命時期予測手段で予測した前記機器寿命到達時期の前記第１の所定期間前よりも後で且つ前記機器寿命到達時期よりも前になると前記最終点検時期判定手段で判定した場合は、前記点検停止時期までに前記所定の点検が必要であることを前記警告報知手段により警告せずに前記点検停止時期の前記第１の所定期間前から前記機器寿命到達時期が迫っていることを前記警告報知手段により警告する制御部とを有する燃料電池発電システム。
【請求項２】
請求項１に記載の燃料電池発電システムの少なくとも一部をコンピュータに実現させるためのプログラム。
【発明の詳細な説明】
【技術分野】
【０００１】
本発明は、空気と燃料ガスの供給を受けて発電し、予め設定された機器寿命条件を満たした場合に機器寿命停止するように構成された燃料電池発電システムに関し、特に、機器寿命到達時期の警告報知を行う燃料電池発電システムに関するをするものである。
【背景技術】
【０００２】
従来のこの種の燃料電池発電システムは、燃料電池本体の累積運転時間が所定の値に到達すれば燃料電池発電システムを停止し、燃料電池本体の累積運転回数が所定の値に到達すれば、燃料電池発電システムを次回起動させないように構成されている（例えば、特許文献１参照）。
【０００３】
図４は、特許文献１に記載された従来の燃料電池発電システムの構成図を示すものである。図４に示すように、燃料電池本体４０２の運転が開始されれば、積算時間計測手段４１１は運転時間を累積して積算することを開始し、積算時間計測手段４１１によって計測された運転時間が予め設定された所定の値に到達した場合に燃料電池発電システム４０１を停止させる。
【０００４】
また、運転回数計測手段４１２は燃料電池本体４０２の運転が開始されれば、運転回数を累積して積算し（運転回数をプラス１にする）、運転回数計測手段４１２によって計測された運転回数が予め設定された所定の値に到達すれば、次回起動させないようにする。
【先行技術文献】
【特許文献】
【０００５】
【特許文献１】特許第４４０４５８４号公報
【発明の概要】
【発明が解決しようとする課題】
【０００６】
しかしながら、上記従来の構成では、累積発電時間と累積発電回数を所定の換算式を用いて累積発電時間相当に変換した値が予め設定した所定の値に到達した時点で、燃料電池本体４０２を即座に機器寿命停止させる機能と、点検停止時期に到達するまでに所定の点検をしなければ、点検停止させる機能とがそれぞれ独立で働くため、機器寿命停止の警告報知を行うわずかな期間に複数の機器停止時期が発生し、利便が悪いという課題があった。
【０００７】
本発明は、機器寿命停止の警告報知を行っている期間に点検停止時期が発生する場合の利便性の悪さを改善した燃料電池発電システムを提供することを目的とする。
【課題を解決するための手段】
【０００８】
上記目的を達成するために、本発明の燃料電池発電システムは、空気と燃料ガスの供給を受けて発電し、予め設定された機器寿命条件を満たした場合に機器寿命停止し、点検停止時期に到達するまでに所定の点検をしなければ点検停止するように構成された燃料電池発電システムであって、前記機器寿命条件に基づいて機器寿命に達する機器寿命到達時期を予測する機器寿命時期予測手段と、前記燃料電池発電システムを構成する部品の少なくとも一部の部品の寿命条件に基づいて前記点検停止しないように前記所定の点検を済ませておく必要がある期限となる前記点検停止時期を予測する点検停止時期予測手段と、前記機器寿命時期予測手段で予測した前記機器寿命到達時期の短くとも第１の所定期間前から前記機器寿命到達時期が迫っていることを警告すると共に、前記点検停止時期予測手段で予測した前記点検停止時期の第２の所定期間前から前記点検停止時期までに前記所定の点検が必要であることを警告する警告報知手段と、前記点検停止時期予測手段で予測した前記点検停止時期が前記機器寿命時期予測手段で予測した前記機器寿命到達時期の前記第１の所定期間前よりも後で且つ前記機器寿命到達時期よりも前になるか否かを判定する最終点検時期判定手段と、前記機器寿命時期予測手段の予測結果と前記点検停止時期予測手段の予測結果と前記最終点検時期判定手段の判定結果に基づいて前記警告報知手段を動作させ、前記点検停止時期予測手段で予測した前記点検停止時期が前記機器寿命時期予測手段で予測した前記機器寿命到達時期の前記第１の所定期間前よりも後で且つ前記機器寿命到達時期よりも前になると前記最終点検時期判定手段で判定した場合は、前記点検停止時期までに前記所定の点検が必要であることを前記警告報知手段により警告せずに前記点検停止時期の前記第１の所定期間前から前記機器寿命到達時期が迫っていることを前記警告報知手段により警告する制御部とを有するのである。
【０００９】
上記構成の燃料電池発電システムは、原則として、点検停止時期（所定の点検を済ませないと機器停止する時期）が迫っていることを警告する点検停止警告を点検停止時期の第２の所定期間（例えば１ヶ月）前から行い、機器寿命到達時期（機器寿命により機器停止する時期）が迫っていることを警告する機器寿命停止警告を機器寿命到達時期の第１の所定期間前から行うようにしているが、点検停止時期が、機器寿命到達時期の第１の所定期間前よりも後で且つ機器寿命到達時期よりも前になる場合は、点検停止時期までに点検が必要であることの警告をせずに、機器寿命停止警告の開始時期を点検停止時期の第１の所定期間前に前倒しするのである。
【００１０】
これにより、機器寿命停止の警告報知を開始してから第１の所定期間（機器寿命停止の対応のために必要と思われる期間、例えば半年）を経過するまでに点検停止時期が発生することがなくなるので、第１の所定期間で機器寿命停止の対応をしている最中に、予想外の機器停止（点検停止）がなく、機器寿命停止の直前に点検対応する無駄がなくなるため、燃料電池発電システムの利便性が良くなる。
【発明の効果】
【００１１】
本発明の燃料電池発電システムは、機器寿命停止の警告報知を開始してから第１の所定期間（機器寿命停止の対応のために必要と思われる期間、例えば半年）を経過するまでに点検停止時期が発生することがなくなるので、第１の所定期間で機器寿命停止の対応をしている最中に、予想外の機器停止（点検停止）がなく、機器寿命停止の直前に点検対応する無駄がなくなるため、燃料電池発電システムの利便性が良くなる。
【図面の簡単な説明】
【００１２】
【図１】本発明の実施の形態１における燃料電池発電システムのブロック図
【図２】本発明の実施の形態１における燃料電池システムの機器寿命停止の予告を報知する情報端末装置の表示例を示す説明図
【図３】本発明の実施の形態１における燃料電池発電システムの動作を説明するためのフローチャート
【図４】従来の燃料電池発電システムの構成図
【発明を実施するための形態】
【００１３】
第１の発明は、空気と燃料ガスの供給を受けて発電し、予め設定された機器寿命条件を満たした場合に機器寿命停止し、点検停止時期に到達するまでに所定の点検をしなければ点検停止するように構成された燃料電池発電システムであって、前記機器寿命条件に基づいて機器寿命に達する機器寿命到達時期を予測する機器寿命時期予測手段と、前記燃料電池発電システムを構成する部品の少なくとも一部の部品の寿命条件に基づいて前記点検停止しないように前記所定の点検を済ませておく必要がある期限となる前記点検停止時期を予測する点検停止時期予測手段と、前記機器寿命時期予測手段で予測した前記機器寿命到達時期の短くとも第１の所定期間前から前記機器寿命到達時期が迫っていることを警告すると共に、前記点検停止時期予測手段で予測した前記点検停止時期の第２の所定期間前から前記点検停止時期までに前記所定の点検が必要であることを警告する警告報知手段と、前記点検停止時期予測手段で予測した前記点検停止時期が前記機器寿命時期予測手段で予測した前記機器寿命到達時期の前記第１の所定期間前よりも後で且つ前記機器寿命到達時期よりも前になるか否かを判定する最終点検時期判定手段と、前記機器寿命時期予測手段の予測結果と前記点検停止時期予測手段の予測結果と前記最終点検時期判定手段の判定結果に基づいて前記警告報知手段を動作させ、前記点検停止時期予測手段で予測した前記点検停止時期が前記機器寿命時期予測手段で予測した前記機器寿命到達時期の前記第１の所定期間前よりも後で且つ前記機器寿命到達時期よりも前になると前記最終点検時期判定手段で判定した場合は、前記点検停止時期までに前記所定の点検が必要であることを前記警告報知手段により警告せずに前記点検停止時期の前記第１の所定期間前から前記機器寿命到達時期が迫っていることを前記警告報知手段により警告する制御部とを有する燃料電池発電システムである。
【００１４】
上記構成において、制御部は、点検停止時期予測手段で予測した点検停止時期が機器寿命時期予測手段で予測した機器寿命到達時期の第１の所定期間前よりも後で且つ機器寿命到達時期よりも前になると最終点検時期判定手段で判定した場合は、点検停止時期までに所定の点検が必要であることを警告報知手段により警告せずに点検停止時期の第１の所定期間前から機器寿命到達時期が迫っていることを警告報知手段により警告する。
【００１５】
つまり、第１の発明の燃料電池発電システムは、原則として、点検停止時期（所定の点検を済ませないと機器停止する時期）が迫っていることを警告する点検停止警告を点検停止時期の第２の所定期間（例えば１ヶ月）前から行い、機器寿命停止警告を機器寿命到達時期の第１の所定期間前から行うようにしているが、点検停止時期が、機器寿命到達時期の第１の所定期間前よりも後で且つ機器寿命到達時期よりも前になる場合は、点検停止時期までに点検が必要であることの警告をせずに、機器寿命停止警告の開始時期を点検停止時期の第１の所定期間前に前倒しするのである。
【００１６】
これにより、機器寿命停止の警告報知を開始してから第１の所定期間（機器寿命停止の対応のために必要と思われる期間、例えば半年）を経過するまでに点検停止時期が発生することがなくなるので、第１の所定期間で機器寿命停止の対応をしている最中に、予想外の機器停止（点検停止）がなく、機器寿命停止の直前に点検対応する無駄がなくなるため、燃料電池発電システムの利便性が良くなる。
【００１７】
第２の発明は、特に、第１の発明の燃料電池発電システムの少なくとも一部をコンピュータに実現させるためのプログラムである。
【００１８】
そして、プログラムであるので、電気・情報機器、コンピュータ、サーバー等のハードリソースを協働させて本発明の燃料電池発電システムの少なくとも一部を容易に実現することができる。また記録媒体に記録したり通信回線を用いてプログラムを配信したりすることでプログラムの配布・更新やインストール作業が簡単にできる。
【００１９】
以下、本発明の実施の形態について、図面を参照しながら説明する。なお、この実施の形態によって本発明が限定されるものではない。
【００２０】
（実施の形態１）
図１は本発明の実施の形態１における燃料電池発電システムのブロック図を示すものである。
【００２１】
図１において、燃料電池発電装置１００の制御部１０１は、機器寿命条件に基づいて機器寿命に達する機器寿命到達時期を予測する機器寿命時期予測手段１０２と、燃料電池発電システムを構成する部品の少なくとも一部の部品の寿命条件に基づいて点検停止しないように所定の点検を済ませておく必要がある期限となる点検停止時期を予測する点検停止時期予測手段１０３を有する。
【００２２】
また、機器寿命時期予測手段１０２で予測した機器寿命到達時期の短くとも第１の所定期間前から機器寿命到達時期が迫っていることを警告すると共に、点検停止時期予測手段で予測した点検停止時期の第２の所定期間前から点検停止時期までに所定の点検が必要であることを警告する警告報知手段１０４を有する。
【００２３】
更に、点検停止時期予測手段１０３で予測した点検停止時期が、機器寿命時期予測手段１０２で予測した機器寿命到達時期の第１の所定期間前よりも後で且つ機器寿命到達時期よりも前になるか否かを判定する最終点検時期判定手段１０５を備える。
【００２４】
制御部１０１は、機器寿命時期予測手段１０２の予測結果と点検停止時期予測手段１０３の予測結果に基づいて警告報知手段１０４を作動させ、それぞれの停止時期が到来することを警告報知させる。
【００２５】
一方、排熱回収装置１１０は燃料電池発電装置１００と接続され、発電時に発生する排熱を排熱回収し、制御部１１１は使用者が設定した温度に調整し、給湯する。
【００２６】
情報端末装置１２０は燃料電池発電装置１００が有する通信手段１０７を介し、宅内通信回線１２１によって接続されている。宅内通信回線１２１は無線ＬＡＮ、Ｂｌｕｅｔｏｏｔｈ（登録商標）または特定小電力無線など無線を媒体として利用することも可能で、その場合、情報端末装置１２０、燃料電池発電装置１００それぞれは無線通信ユニットを装着する必要がある。
【００２７】
情報端末装置１２０は、前記警告報知の表示を行うと共に、燃料電池発電装置１００の発電の開始や停止、異常コードの表示、発電電力量、受電電力量の表示機能や、排熱回収装置１１０に回収した排熱を利用する際の給湯温度、風呂の沸かし上げや沸かし上げ予約といった排熱回収装置１１０関連の設定機能を備えている。
【００２８】
以上のように構成された本実施の形態の燃料電池発電システムについて、以下その動作、作用を説明する。
【００２９】
図１において、燃料電池発電装置１００は水素と酸素を化学反応させ、直接電気エネルギーを発生させると同時に、反応時に発生する熱も回収利用することにより高いエネルギー効果が実現できるシステムである。
【００３０】
しかしながら、燃料電池発電システムは一般のアプライアンス商品に比べて技術蓄積が浅く、本システムが設計耐用年数を迎えたときの挙動に市場実績がない。従って、設計耐用年数に到達した燃料電池発電システムには想定外事象を回避するために機器を停止させ、次回の起動を許可させないといった設計配慮が必要である。
【００３１】
燃料電池発電装置１００の設計耐用年数は予め記憶手段１０６に記録されており、制御部１０１は記憶手段１０６から読み出す。設計耐用年数は例えば累積通電時間や、累積発電回数、累積発電時間が所定の数値に到達することで判断しても良い。またはそれらの組み合わせでいずれかが早く到達した場合に設計耐用年数と判断してもよい。
【００３２】
一方、燃料電池発電装置１００を構成する部品は複雑多岐であり、少なくとも一部の部品の寿命が到来すると、本来の性能が出せなくなるため、部品の寿命条件に基づいて点検・交換する必要がある。
【００３３】
点検停止時期予測手段１０３は、部品の寿命条件に基づいて部品寿命が到来する時期を予測する。部品寿命は予め記憶手段１０６に記録されており、制御部１０１は記憶手段１０６から読み出し、部品寿命が所定の数値を上回れば、燃料電池発電装置１００を点検停止させる。部品寿命は例えば累積通電時間が所定の数値に到達することで判断しても良い。
【００３４】
点検停止時期予測手段１０３は点検停止時期に点検停止しないように前記所定の点検を済ませておく必要があることを警告報知させるため、累積通電時間が点検停止時期から第２の所定期間前にあるか否かを判断する。第２の所定期間前よりも後であれば、点検停止時期予測手段１０３は警告報知手段１０４を動作させ、制御部１０１は所定の点検を済ませておく必要があることを、通信手段１０７を介して情報端末装置１２０に表示させる。
【００３５】
しかし、第２の所定期間内に所定の点検が行われず、点検停止時期に到達した場合、制御部１０１は燃料電池発電装置１００を停止させ、前記所定の点検が完了するまで次回の起動をさせない。
【００３６】
所定の点検が完了すれば、制御部１０１は点検停止を解除し、燃料電池発電装置１００の次回からの起動を許可する。所定の点検が終了した時、燃料電池発電装置１００の本体にキー入力機能を有するメンテナンス基板を備えて、点検終了のキー入力を行っても良いし、情報端末装置１２０から所定の入力を行っても良い。
【００３７】
点検停止時期予測手段１０３は所定の点検完了の入力があれば、次の点検停止時期の予測を行う。この時、前回の点検停止から今回の点検停止までの寿命条件の変化量を算出する。これによって、次回の点検停止時期での寿命条件の変化量を予測することができる。すなわち、次回の点検停止時期では、機器の寿命条件である前記累積通電時間、累積発電回数、累積発電時間の進捗予測をしておく。
【００３８】
一方、機器寿命時期予測手段１０２は、前記所定の点検の完了の入力があれば、機器寿命到達時期と、機器寿命到達時期が迫っていることを警告するために必要な機器寿命到達時期から第１の所定期間前を予測する。
【００３９】
例えば、警告報知の開始時期、つまり機器寿命停止時期までの第１の所定期間を機器寿命到達時期の半年前としても良い。所定の部品点検を要する点検停止が例えば１年毎に行われるとすれば、１年間での前記累積通電時間、累積発電回数、累積発電時間の変化量を求めることができ、次に半年相当の変化量を求めることができる。すなわち、機器寿命到達を報知する警告報知の開始時期時点での前記累積通電時間、累積発電回数、累積発電時間を求めることができる。
【００４０】
最終点検時期判定手段１０５は点検停止時期予測手段１０３が予測した点検停止時期が、機器寿命時期予測手段１０２が予測した機器寿命到達時期より前で、且つ機器寿命を報知する警告報知開始時期より後になるか否かを判断する。つまり、次回の点検停止時期が機器寿命の到達を報知する警告報知期間内にあるか否かを判定する。
【００４１】
現在の機器寿命条件の数値が警告報知期間内に該当する数値であり、仮に第２の所定期間内に構成部品の点検・交換が実施されなければ、機器寿命の到達の警告期間内に点検停止するため、短期間に複数の機器停止時期が発生し、クレームや、不快感を使用者に与えることになり、利便が悪い。従って、最終点検時期判定手段１０５は点検停止時期が警告報知期間内であると判断すれば、点検停止時期から前に第１の所定期間を確保する。更に、点検停止時期までに所定の点検が必要であることを警告報知手段１０４により警告報知もさせない。
【００４２】
これによって、機器寿命到達時期を警告する期間に点検停止時期が到来するか否かを予測し、機器寿命警告報知期間に複数の機器停止を発生させないよう機器寿命停止時期を決定することから、機器寿命警告報知のわずかな期間に複数の機器停止を防止することができ、利便性の高いシステムを構築することができる。
【００４３】
図２は警告報知手段１０４が情報端末装置１２０に対して、警告報知を行っている例である。図２では情報端末装置１２０が有するディスプレイの上段から文字１行分を用いて、警告メッセージを表示させているが、ハードウェアとしてメッセージに代わるＬＥＤを用いて点滅・点灯をさせ、警告報知としてもよい。また、図２では機器寿命の警告報知の例であるが、点検停止時期の到来を報知するメッセージも前記機器寿命と同じ作法で表示させる。
【００４４】
図３は本実施の形態の燃料電池発電システムの動作を説明するためのフローチャートである。
【００４５】
図３のフローチャートにおいて、燃料電池発電装置１００の点検停止時期予測手段１０３は、燃料電池発電装置１００が現在、点検停止時期から第２の所定期間前にあるか否かを判定する（ＳＴＥＰ１）。第２の所定期間前であった場合（ＳＴＥＰ１、Ｙｅｓ）、制御部１０１は、警告報知手段１０４を動作させ、燃料電池発電装置１００を構成する部品の寿命条件に基づいて点検停止しないように、所定の点検を済ませておく期限があることを警告報知する（ＳＴＥＰ２）。
【００４６】
次に、点検停止時期予測手段１０３は、点検停止時期から第２の所定期間前を経過し、点検停止時期であるか否かを判定する（ＳＴＥＰ３）。点検停止時期であれば（ＳＴＥＰ３、Ｙｅｓ）点検停止時期予測手段は警告報知手段１０４が報知する前記警告報知を解除し、制御部１０１は、燃料電池発電装置１００を停止させ、所定の点検が行われるまで次回の起動をさせない（ＳＴＥＰ４）。
【００４７】
制御部１０１は所定の点検が行われたか否かを判定する（ＳＴＥＰ５）。制御部１０１は点検が実施されたことを認識した場合（ＳＴＥＰ５、Ｙｅｓ）、点検停止状態を解除し、燃料電池発電装置１００の次回からの起動を許可する（ＳＴＥＰ６）。
【００４８】
所定の点検が実施されると、機器寿命時期予測手段１０２は前回の点検から今回の点検までの期間に変化した機器寿命条件の変化量を算出する（ＳＴＥＰ７）。次に、機器寿命時期予測手段１０２は、前記算出した変化量を元に、機器寿命到達時期から前に第１の所定期間確保し、機器寿命の警告報知の開始時期を予測する（ＳＴＥＰ８）。
【００４９】
一方、点検停止時期予測手段１０３は次回の点検停止時期を予測し、機器寿命条件である累積通電時間、累積発電回数、累積発電時間について、点検停止時期での前記数値の進捗を予測する（ＳＴＥＰ９）。
【００５０】
最終点検時期判定手段１０５は点検停止時期予測手段１０３が予測した点検停止時期が、機器寿命時期予測手段１０２が予測した第１の所定期間前よりも後で且つ機器寿命到達時期よりも前になるか否かを判定する（ＳＴＥＰ１０）。すなわち、機器寿命到達時期を予め報知する警告報知期間内に点検停止時期が到来するか否かを判定する。
【００５１】
警告報知期間内に点検停止が到来する場合（ＳＴＥＰ１０、Ｙｅｓ）、最終点検時期判定手段１０５は、次回の点検停止の警告報知を行わない（ＳＴＥＰ１１）。更に、最終点検時期判定手段１０５は点検停止時期から前に第１の所定期間を設定し（ＳＴＥＰ１２）、第１の所定期間前から警告報知手段１０４を動作させ、機器寿命到達時期が迫っていることを警告報知させる。
【００５２】
機器寿命時期予測手段１０２は累積通電時間、累積発電回数、累積発電時間について、第１の所定の期間内にあれば、警告報知手段１０４を動作させ、  機器寿命が迫っていることの警告報知を開始する（ＳＴＥＰ１３）。次に、点検停止の警告報知を行う第２の所定期間であるか否かを判定する（ＳＴＥＰ１）。
【００５３】
点検停止時期予測手段１０３は、点検停止時期よりも前で第２の所定期間であるか否かを判定し（ＳＴＥＰ１）、第２の所定期間でない場合（ＳＴＥＰ１、Ｎｏ）、何も実行せず、機器寿命停止時期の警告期間であれば警告報知手段１０４を動作させ、警告報知を行う（ＳＴＥＰ１３）。
【００５４】
第２の所定期間であり、点検停止警告報知を開始している状態で（ＳＴＥＰ２）、点検停止時期であるか否かを判定した結果（ＳＴＥＰ３）、まだ点検停止時期でない場合（ＳＴＥＰ３、Ｎｏ）、点検停止の警告報知を解除せずに、実際に所定の点検が行われた否かを判定する（ＳＴＥＰ５）。また、所定の点検が行われたか否かを判定し（ＳＴＥＰ５）、点検が実施されなかった場合（ＳＴＥＰ５、Ｎｏ）、何も実行せずに機器寿命停止時期の警告期間であれば警告報知手段１０４を動作させ、警告報知を行う（ＳＴＥＰ１３）。
【００５５】
以上のように、本実施の形態の燃料電池発電システムは、空気と燃料ガスの供給を受けて発電し、予め設定された機器寿命条件を満たした場合に機器寿命停止し、点検停止時期に到達するまでに所定の点検をしなければ点検停止するように構成された燃料電池発電システムであって、機器寿命条件に基づいて機器寿命に達する機器寿命到達時期を予測する機器寿命時期予測手段１０２と、燃料電池発電システムを構成する部品の少なくとも一部の部品の寿命条件に基づいて点検停止しないように所定の点検を済ませておく必要がある期限となる点検停止時期を予測する点検停止時期予測手段１０３と、機器寿命時期予測手段１０２で予測した機器寿命到達時期の短くとも第１の所定期間（例えば半年）前から機器寿命到達時期が迫っていることを警告すると共に、点検停止時期予測手段１０３で予測した点検停止時期の第２の所定期間（例えば１ヶ月）前から点検停止時期までに所定の点検が必要であることを警告する警告報知手段１０４と、点検停止時期予測手段１０３で予測した点検停止時期が機器寿命時期予測手段１０２で予測した機器寿命到達時期の第１の所定期間前よりも後で且つ機器寿命到達時期よりも前になるか否かを判定する最終点検時期判定手段１０５と、機器寿命時期予測手段１０２の予測結果と点検停止時期予測手段１０３の予測結果と最終点検時期判定手段１０５の判定結果に基づいて警告報知手段１０４を動作させ、点検停止時期予測手段１０３で予測した点検停止時期が機器寿命時期予測手段１０２で予測した機器寿命到達時期の第１の所定期間前よりも後で且つ機器寿命到達時期よりも前になると最終点検時期判定手段１０５で判定した場合は、点検停止時期までに所定の点検が必要であることを警告報知手段１０４により警告せずに点検停止時期の第１の所定期間前から機器寿命到達時期が迫っていることを警告報知手段１０４により警告する制御部１０１とを有する燃料電池発電システムである。
【００５６】
上記構成において、制御部１０１は、点検停止時期予測手段１０３で予測した点検停止時期が機器寿命時期予測手段１０２で予測した機器寿命到達時期の第１の所定期間前よりも後で且つ機器寿命到達時期よりも前になると最終点検時期判定手段１０５で判定した場合は、点検停止時期までに所定の点検が必要であることを警告報知手段１０４により警告せずに点検停止時期の第１の所定期間前から機器寿命到達時期が迫っていることを警告報知手段１０４により警告する。
【００５７】
つまり、本実施の形態の燃料電池発電システムは、原則として、点検停止時期（所定の点検を済ませないと機器停止する時期）が迫っていることを警告する点検停止警告を点検停止時期の第２の所定期間（例えば１ヶ月）前から行い、機器寿命停止警告を機器寿命到達時期の第１の所定期間前から行うようにしているが、点検停止時期が、機器寿命到達時期の第１の所定期間前よりも後で且つ機器寿命到達時期よりも前になる場合は、点検停止時期までに点検が必要であることの警告をせずに、機器寿命停止警告の開始時期を点検停止時期の第１の所定期間前に前倒しするのである。
【００５８】
これにより、機器寿命停止の警告報知を開始してから第１の所定期間（機器寿命停止の対応のために必要と思われる期間、例えば半年）を経過するまでに点検停止時期が発生することがなくなるので、第１の所定期間で機器寿命停止の対応をしている最中に、予想外の機器停止（点検停止）がなく、機器寿命停止の直前に点検対応する無駄がなくなるため、燃料電池発電システムの利便性が良くなる。
【００５９】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムであれば、磁気メディアや光メディアなどの記録媒体に記録したりインターネットなどの通信回線を用いて配信することでプログラムの配布・更新やインストール作業が簡単にできる。
【産業上の利用可能性】
【００６０】
本発明の燃料電池発電システムは、機器寿命停止の警告報知を開始してから第１の所定期間（機器寿命停止の対応のために必要と思われる期間、例えば半年）を経過するまでに点検停止時期が発生することがなくなるので、第１の所定期間で機器寿命停止の対応をしている最中に、予想外の機器停止（点検停止）がなく、機器寿命停止の直前に点検対応する無駄がなくなるため、燃料電池発電システムの利便性が良くなる。そのため、点検停止時期が迫っていることを警告する点検停止警告を点検停止時期の第２の所定期間前から行い、機器寿命停止警告を機器寿命到達時期の第１の所定期間前から行う燃料電池発電システムに適用でき、適用する燃料電池発電システムは家庭用に限らずオフィスや工場などの業務用であっても構わない。
【符号の説明】
【００６１】
１００  燃料電池
１０１  制御部
１０２  機器寿命時期予測手段
１０３  点検停止時期予測手段
１０４  警告報知手段
１０５  最終点検時期判定手段
【図１】
2011171137.tif 000003
【図２】
2011171137.tif 000004
【図３】
2011171137.tif 000005
【図４】
2011171137.tif 000006